(57)【要約】      （修正有）【課題】たとえダクトが垂れ下がったとしても接合部分の断熱層を保ち、かつ、結露が発生しがたいダクト支持体を提供する。【解決手段】ダクト支持体１を、ダクト１１の円周方向に掛け渡し、取付部４、４に固定用吊り線材７を取り付けて所定位置にてダクト１１を支持する。緩衝部材６は、断熱材、その内部に気体を通過させる通気材を兼ねる。ダクト支持体１は所定位置においてダクト１１の自重による垂れ下がりを防止し、ダクト１１を安定して支持することが可能となり、緩衝部材６があることでダクト１１の形状を保持することができる。また、長期間の使用によって、ダクト支持体１とダクト１１との接合箇所からその他の箇所へ断熱材１２が押し出されたとしても、断熱効果を持続させることができる。そのうえ、通気材を用いることで、ダクト支持体とダクトとの間に通気性が確保され、この部分が通気されることによって、結露を防止することができる。【選択図】図４
0003166963.tif 000002
【実用新案登録請求の範囲】
【請求項１】
所定幅のダクト接合面を有し、このダクト接合面をダクトの円周方向に掛け渡してダクトを支持するものであって、
少なくともダクトの垂直方向下側に接合して支持し、
前記ダクト接合面に、緩衝部材を配置することを特徴とするダクト支持体。
【請求項２】
緩衝部材は、断熱材を兼ねることを特徴とする請求項１に記載のダクト支持体。
【請求項３】
緩衝部材は、その内部に気体を通過させる通気材を兼ねることを特徴とする請求項１または２のいずれかに記載のダクト支持体。
【考案の詳細な説明】
【技術分野】
【０００１】
本考案は、主に空調設備において送風管として使用されるダクトを支持し、一定位置に配置するためのダクト支持体に関する。
【背景技術】
【０００２】
従来のダクト支持体については、図６（ａ）に示す従来技術が存在した。かかる従来技術は、ダクト１０１に固定用バンド１０２を取り付け、固定用バンド１０２に配置される吊りボルト１０３によりダクト１０１を一定位置で支持するものである。
なお、図６（ｂ）に示すように、ダクト１０１は、一般的に、その内部に通気路１０４があり、通気路１０４の外表面に断熱材による断熱層１０５がある。
【考案の概要】
【考案が解決しようとする課題】
【０００３】
従来技術による支持の場合、図７（ａ）に示すように、固定用バンド１０２で支持する部分以外の位置でダクト１０１がその自重により垂れ下がることがあった。これは、固定用バンド１０２で支持しきれないこともあるが、長期間の使用により、徐々に自重により固定用バンド１０２以外の位置で垂れ下がる場合が多かった。
【０００４】
図７（ｂ）に示すように、ダクト１０１が自重により垂れ下がった場合、固定用バンド１０２で支持している位置でもダクト１０１が下方への押し下げられる力が作用する。図６（ｂ）に示すように、ダクト１０１が矢印線Ｆの方向へ下がる力が作用するので、固定用バンド１０２に接合する部分で断熱層１０５が矢印線Ｇの方向へ押し出される。そして、図７（ｂ）に示すように、この部分の断熱層１０５が無くなってしまうことがあった。これにより、当該部分の断熱効果がなくなってしまう。
また、固定用バンド１０２とダクト１０１とが接合している部分は、通気性がなく、ダクトとダクト支持体の間に高湿度の空気が閉じ込められ、結露が生じることが多かった。
【０００５】
そこで、本考案は、たとえダクトが垂れ下がったとしても前記接合部分の断熱層を保ち、かつ、結露が発生し難いダクト支持体を提供する。
【課題を解決するための手段】
【０００６】
本考案のダクト支持体は、所定幅のダクト接合面を有し、このダクト接合面をダクトの円周方向に掛け渡してダクトを支持するものであって、少なくともダクトの垂直方向下側に接合して支持し、前記ダクト接合面に、緩衝部材を配置することを特徴とするものである。
【０００７】
また、緩衝部材は、断熱材を兼ねることが好ましい。
【０００８】
また、緩衝部材は、その内部に気体を通過させる通気材を兼ねることが好ましい。
【考案の効果】
【０００９】
請求項１に係る考案により、このダクト支持体によってダクトを支持したとき、所定幅を有しつつ緩衝部材を有するので、ダクトの自重による垂れ下がりを防止し、ダクトを安定して支持することが可能となる。また、長期間の使用でダクトが徐々に自重によって垂れ下がったとしても、緩衝部材があることでダクトの形状を保持することができる。
【００１０】
請求項２に係る考案により、長期間の使用によって、ダクトが徐々に垂れ下がり、ダクト支持体とダクトとの接合箇所からその他の箇所へ断熱材が押し出されたとしても、断熱効果を持続させることができる。
【００１１】
請求項３に係る考案により、緩衝部材に通気性のある通気材を用いることで、ダクト支持体とダクトとの間に通気性が確保され、この部分が通気されることによって、結露を防止することができる。
つまり、ダクトとダクト支持体の間に高湿度の空気が閉じ込められ、結露が生じる要因となっていたが、この部分に通気性が確保されることにより、高湿度の空気が閉じ込められることがなく、結露が発生し難いダクト支持体とすることができる。
【図面の簡単な説明】
【００１２】
【図１】図１は、ダクト支持体の支持ベルトを示す斜視図である。
【図２】図２は、図１に示す支持ベルトに緩衝部材を配置した状態を示す斜視図である。
【図３】図３（ａ）はダクト支持体の使用状態を示す斜視図であり、図３（ｂ）はダクト支持体の第二実施例を示す斜視図である。
【図４】図４（ａ）はダクト支持体をダクトに掛け渡した状態を示す斜視図であり、図４（ｂ）は図４（ａ）のＡ−Ａ線拡大断面図であって固定用吊り線材を除いたものである。
【図５】図５（ａ）は図４（ａ）の状態でダクトが下方に垂れ下がった状態を示す斜視図であり、図５（ｂ）は図５（ａ）のＤ−Ｄ線拡大断面図であって、固定用吊り線材を除いたものである。
【図６】図６（ａ）は従来技術によるダクト固定用バンドの使用する状態を示す斜視図であり、図６（ｂ）は図６（ａ）のＥ−Ｅ線拡大断面図である。
【図７】図７（ａ）は図６（ａ）の支持状態でダクトが下方に垂れ下がった状態を示す斜視図であり、図７（ｂ）は図７（ａ）のＨ−Ｈ線拡大断面図である。
【考案を実施するための形態】
【００１３】
本考案の実施の形態を図面に沿って説明する。
本考案のダクト支持体１は、ダクト１１を支持するものである。ダクト１１は、主に空調設備に使用されるもので、冷風や温風等を通気させるものである。
図４（ａ）に示すように、ダクト１１は、一般的に、その内部の中央部分に断面円形の通気路１３を有し、この通気路を冷風や温風等を通気させている。そして、通気路１３の周縁から外方にかけて、断熱材１２が配置される。この断熱材１２は、通気する冷風や温風が通気時に外気との差によって、温度が変化することを防止するためのものである。
【００１４】
図２に示すように、ダクト支持体１は、支持ベルト２と緩衝部材６とからなる。
支持ベルト２は、図１に示すように、所定の長さと幅を有するベルト状のものである。本実施例の支持ベルト２は、ポリエステル繊維をプラスティック樹脂で覆ったものからなり、柔らかく、可撓性を有するものである。なお、支持ベルト２の材質は、ガラス繊維をプラスティック樹脂で覆ったものやプラスティック樹脂のみのもの等、他のものであってもよい。
【００１５】
本実施例における支持ベルト２の幅はダクト１１の口径が２００ｍｍの場合は６０ｍｍ程度であるが、ダクト１１の口径により４０〜１００ｍｍの間で幅を変えて使用する。口径が大きくなると自重が大きくなるので、支持ベルトで支持する面積を大きくする必要があるためである。
なお、幅は細すぎるとダクト１１との接合部分の面積が小さくなり、支持ベルト２への圧力が大きくなるので、ダクト１１の断熱材１２を押し出してしまう。そのために、断熱材１２を押し出さない程度にする。
【００１６】
本実施例における支持ベルト２の長手方向の長さはダクト１１の口径が２００ｍｍの場合は８００ｍｍ程度の長さであり、ダクト１１の口径により支持ベルト２の長さも長くなる。支持ベルト２の長手方向の長さは少なくとも上方から掛け渡してダクト１１の下部分を支持する程度にあればよい。
【００１７】
支持ベルト２は、図１の上側の面がダクト接合面５であり、このダクト接合面をダクト１１側にして、その円周方向に掛け渡して、ダクト１１を支持するものである。本実施例のダクト支持体１は、図４（ａ）に示すように、ダクト１１の円周方向のうちほぼ全てを包み込むように掛け渡す。
【００１８】
支持ベルト２の両端を各々折り返して形成する折り返し部分３、３がある。この折り返し部分３、３の中央付近の部分を開口し、円形の金具を取り付けるための取付部４、４が形成される。
取付部４はこの円形の形状のみに限られるものではなく、その他の形状でもよい。
【００１９】
図２に示すように、支持ベルト２のダクト接合面５に緩衝部材６を配置する。本実施例に係るダクト支持体１の緩衝部材６は、支持ベルト２の折り返し部分３、３を除いたダクト接合面５の全体に渡って配置されている。
ただし、図３（ｂ）に示すように、ダクト１１の下部分が接合する支持ベルト２の中央付近のみに配置してもよい。また、図示しないが、複数の小型の緩衝部材６を連続して配置するようにしてもよい。
【００２０】
本実施例における緩衝部材６の材質は、グラスウールからなる。グラスウールは衝撃を吸収する性質を有するだけでなく、断熱効果もある。また、細い糸状材が無数に絡み合っているものなので、通気性を有する。
なお、グラスウールはダクト１１の断熱材１２に用いられることが多い素材であり、緩衝部材６にグラスウールを用いた場合は、緩衝部材６と断熱材１２が同じ素材となる。
【００２１】
緩衝部材６は、グラスウールに限定されるものではなく、ウレタンフォーム、ポリエステル不織布であってもよく、植毛加工を施したものであってもよい。これらの材質によると、外部からの衝撃を吸収する緩衝材としての機能を有し、断熱効果もあり、通気性を有する。
その他の材質としては、ポリエチレンフォームがある。しかし、ポリエチレンフォームは、外部からの衝撃を吸収する緩衝材としての機能と、断熱効果があるが、通気性までも有するものではない。
【００２２】
次に、使用状態について説明する。
図３（ａ）に示すように、ダクト接合面５、及び、緩衝部材６を内側にして、ダクト支持体１を丸めて使用する。このとき、両側の折り返し部３、３を丸めた位置から各々重ね合わせて突出させるようにする。
【００２３】
実際にダクト１１に使用するときは、図４（ａ）に示すように、ダクト１１の円周全体を包み込むようにダクト支持体１を掛け渡す。緩衝部材６はダクト１１の外側に接合することになる。そして、上方に突出するように重ね合わされた折り返し部３、３の取付部材４、４に固定用吊り線材７を結び付けて、ダクト１１を所定箇所に吊り下げて固定する。
【００２４】
取付部材４、４によるダクト１１の取付方法は、上記方法のみに限定されない。各々の取付部材４、４ごとに固定用吊り線材７を結び付けて吊り下げてよい。また、図示しないが、取付部材４、４に取付環を取り付けたうえで、この取付環に固定用吊り線材７を結び付けて吊り下げてもよい。また、固定用吊り線材７も紐状のものでも、金属線のようなものでもよい。
【００２５】
従来の固定用バンド１０２により支持されたダクト１０１は、長期間使用すると、自重により垂れ下がることがあった。
つまり、ダクト１０１は、比較的柔らかな材質で製造されており、固定用バンド１０２は上方から吊り下げて固定されるため、長期間の使用によりダクト１０１が垂れ下がり、図７（ａ）に示すように、ダクト支持体１で支持される部分以外の位置で垂れ下がる場合が多い。
【００２６】
図６（ｂ）に示すように、ダクト１０１が固定用バンド１０２の支持部分以外の位置で長期間の使用により自重で垂れ下がった場合、固定用バンド１０２の支持部分でもダクト１０１は下方向（図６（ｂ）の矢印線Ｆの方向）へ押し下げられる力が作用する。これにより、ダクト１０１の内部の断熱材１０５が左右方向（図６（ｂ）の矢印線Ｇの方向）へ押し出される力が作用する
【００２７】
本実施例のダクト支持体１は、図４（ａ）、（ｂ）に示すように、ダクト支持体１をダクト１１に掛け渡したときに、緩衝部材６がダクト１１の円周方向の外側に沿って位置している。緩衝部材６が配置されていることにより、ダクト１１の自重によってダクト支持体１に下方向（図４（ｂ）の矢印線Ｂの方向）への圧力が加わり、ダクト１１の内部の断熱材１２が左右方向（図４（ｂ）の矢印線Ｃの方向）へ押し出される力が作用する。しかし、緩衝部材６が下方向への力の作用を分散するので、断熱材１２が左右方向へ容易に押し出され難くすることができる。
【００２８】
また、図５（ａ）に示すように、本実施例のダクト支持体１によりダクトを支持した場合であっても、かなりの長期間の支持によりダクト１１が自重によって、ダクト支持体１で支持する部分以外の位置で垂れ下がる可能性がある。この場合には、ダクト支持体１で支持する部分では断熱材１２が徐々に左右方向へ押し出されてしまう。
【００２９】
しかし、緩衝部材６は断熱材１２と同じ素材のグラスウールからなるものであり、断熱性も有する。これにより、図５（ｂ）に示すように、ダクト１１とダクト支持体１との間において断熱材１２がなくなるのを防止することができる。
つまり、従来例の場合には、自重によるダクト１１を下方向へ押し下げる力が、断熱材１２を左右方向へ押し出していた。しかし、本実施例のダクト支持体１によれば、ダクト１１と接合する部分に断熱効果のある緩衝部材６が配置されているので、幾分かの断熱材１２が左右方向へ押し出されても、緩衝部材６によって断熱効果を継続することができる。
【００３０】
本実施例によるダクト支持体１は、ダクトを支持・固定する通常の間隔である約９００ｍｍの間隔を開けて固定用吊り線材７により所定位置に固定する。
この固定位置の間隔があまりに長すぎるとダクト支持体１にかかる力が増大するため、かかる間隔をもって固定することが望ましい。
【００３１】
また、従来の支持体によると支持する部分に通気性がなく、ダクト１１とダクト支持体１の間に高湿度の空気が閉じ込められ、結露が生じる要因となっていた。しかし、本実施例のダクト支持体１は、緩衝部材６が通気性を有するグラスウールからなっているので、ダクト支持体１で支持する部分で通気され、ダクト支持体１に高湿度の空気が閉じ込められることがなく、結露が生じにくいダクト支持体１を提供することができる。
【符号の説明】
【００３２】
１…ダクト支持体、２…支持ベルト、３…折り返し部、４…取付部、５…ダクト接合面、６…緩衝部材、７…固定用吊り線材、１１…ダクト、１２…断熱材、１３…通気路
１０１…ダクト、１０２…取付固定用バンド、１０３…吊りボルト、１０４…通気路、１０５…断熱層
【図１】
0003166963.tif 000003
【図２】
0003166963.tif 000004
【図３】
0003166963.tif 000005
【図４】
0003166963.tif 000006
【図５】
0003166963.tif 000007
【図６】
0003166963.tif 000008
【図７】
0003166963.tif 000009